(57)【特許請求の範囲】
【請求項１】
荷電粒子ビームの光路上に配置された偏向器により前記荷電粒子ビームの位置を制御して、試料に所定のパターンを描画する荷電粒子ビーム描画装置において、
一方向に隣接する少なくとも２つの矩形パターンが、前記一方向と直交する方向に前記偏向器の最大偏向幅と実質的に等しい長さまで連続して配置された複数のラインパターンに対し、前記荷電粒子ビームによって、
第１のラインパターンを構成する第１の矩形パターンをショットした後に、前記第１のラインパターンを構成し且つ前記第１の矩形パターンに隣接する第２の矩形パターンをショットする工程と、
前記第２の矩形パターンをショットした後に、第２のラインパターンを構成する第３の矩形パターンをショットし、前記第３の矩形パターンをショットした後に、前記第２のラインパターンを構成し且つ前記第３の矩形パターンに隣接する第４の矩形パターンをショットする工程とを繰り返すよう構成されたことを特徴とする荷電粒子ビーム描画装置。
【請求項２】
荷電粒子ビームの光路上に配置された偏向器により前記荷電粒子ビームの位置を制御して、試料に所定のパターンを描画する荷電粒子ビーム描画装置の評価方法において、
一方向に隣接する少なくとも２つの矩形パターンが、前記一方向と直交する方向に前記偏向器の最大偏向幅と実質的に等しい長さまで連続して配置された複数のラインパターンに対し、前記荷電粒子ビームによって、
第１のラインパターンを構成する第１の矩形パターンをショットした後に、前記第１のラインパターンを構成し且つ前記第１の矩形パターンに隣接する第２の矩形パターンをショットする工程と、
前記第２の矩形パターンをショットした後に、第２のラインパターンを構成する第３の矩形パターンをショットし、前記第３の矩形パターンをショットした後に、前記第２のラインパターンを構成し且つ前記第３の矩形パターンに隣接する第４の矩形パターンをショットする工程を繰り返す工程とを有することを特徴とする荷電粒子ビーム描画装置の評価方法。
【発明の詳細な説明】
【技術分野】
【０００１】
本発明は、荷電粒子ビーム描画装置および荷電粒子ビーム描画装置の評価方法に関する。
【背景技術】
【０００２】
近年、大規模集積回路（ＬＳＩ；Ｌａｒｇｅ  Ｓｃａｌｅ  Ｉｎｔｅｇｒａｔｉｏｎ）の高集積化および大容量化に伴い、半導体素子に要求される回路線幅は益々狭く微細なものとなっている。半導体素子は、回路パターンが形成された原画パターン（マスクまたはレチクルを指す。以下では、マスクと総称する。）を用い、いわゆるステッパと呼ばれる縮小投影露光装置によって、ウェハ上にパターンを露光転写して回路形成することにより製造される。こうした微細な回路パターンをウェハに転写するためのマスクの製造に電子ビーム描画装置が用いられている。
【０００３】
電子ビーム描画装置は、利用する電子ビームが荷電粒子ビームであるため本質的に優れた解像度を有し、また、焦点深度を大きく確保することができるので、高い段差上でも寸法変動を抑制できるという利点を有する。特許文献１には、電子ビーム描画装置を用いた半導体集積回路装置の製造方法が開示されている。
【０００４】
しかしながら、電子ビームによる露光技術は、光による一括露光に比べて、スループットが低いという問題を有する。そこで、従来より、種々の方法によってスループットを向上する試みがなされている。
【０００５】
具体的には、円形断面電子ビームではなく、可変成形ビームを用いることによって、露光回数を少なくしたり、ステージの移動を、ステップアンドリピート方式に代えて連続移動方式にしたり、さらには、電子ビームの偏向方式をベクタ走査方式にしたりすることが行われている。
【０００６】
上記の技術を組み合わせることにより、スループットを大きく向上させることが可能になる。しかし、ベクタ走査方式では、フレーム内でのサブフィールドの位置に応じて、サブフィールド内における電子ビームの偏向角度が異なるために、描画パターンの形状、位置および寸法精度が劣化するという問題が生じ得る。これに対しては、特許文献２に、電子ビームの主偏向位置に依存して生じる副偏向の感度ずれを描画前に検出し、検出した値を描画時に補正する方法が記載されている。
【０００７】
スループットを向上させるには、高速且つ高精度に電子ビームを偏向することも必要となる。しかし、偏向アンプで偏向器を駆動する際には、その負荷に応じた出力電圧のセトリング時間（整定時間）が必要になる。すなわち、目標とする偏向位置に整定するには、所定のセトリング時間を要する。また、セトリング時間中に試料面へ電子ビームを照射すると描画結果に悪影響を及ぼすので、この間は、ブランキング機構を作動させて、電子ビームによる照射が行われないようにしなければならない。
【０００８】
特許文献３には、直交する２つの直線上に配置されたコンタクトホールパターンに電子ビームを照射して、偏向器による電子ビームの照射位置を評価する方法が記載されている。具体的には、特許文献３の図４において、２つの直線Ａ、Ｂの交点の照射位置（１０１）に電子ビームを照射した後、直線Ａ上で、この照射位置（１０１）に最も近接する照射位置（１０２）に電子ビームを移動させて照射する。次いで、直線Ｂ上における次の照射位置（１０３）まで電子ビームを移動させて照射した後、直線Ｂ上で、この照射位置（１０３）に最も近接する照射位置（１０４）に電子ビームを移動させて照射する。次に、直線Ａ上における次の照射位置（１０５）まで電子ビームを移動させて照射した後、以降も同様の操作を繰り返し、各直線上における各照射位置（１０６、１０７、１０８および１０９）を順に電子ビームで照射する。そして、所望とする照射位置と実際の照射位置とのずれ量を計測することにより、最適なセトリング時間を求めることができる。尚、説明の都合上、特許文献３の図４で使用されている符号をカッコ内に記載した。
【先行技術文献】
【特許文献】
【０００９】
【特許文献１】特開平１１−３１２６３４号公報
【特許文献２】特開平１０−２８４３９２号公報
【特許文献３】特開２００８−７１９８６号公報
【発明の概要】
【発明が解決しようとする課題】
【００１０】
最近では、電子ビーム描画装置の高精度化に伴って、主偏向領域や副偏向領域の縮小化が進んでいる。このため、特許文献３に記載の評価方法では、次のような問題が生じる。
【００１１】
特許文献３では、上述したように、直交する２つの直線上に配置されたコンタクトホールパターンに電子ビームを照射して、偏向器による電子ビームの照射位置を評価する。ここで、コンタクトホールパターンのサイズは同じで副偏向領域が小さくなると、副偏向領域内に収まる評価点数が少なくなる。スループットの向上によりショットサイズの微小化も進んでいるが、ショットサイズを小さくしたとしても、評価点数の減少は改善できない。このため、電子ビームの照射位置について、正確な評価をすることが困難になるという問題があった。
【００１２】
一方、コンタクトホールパターンのサイズを小さくすることにより、副偏向領域に収まる評価点数が減少しないようにすることも考えられる。しかしながら、コンタクトホールパターンは、完全な矩形ではなく、四隅で丸みを帯びている。このため、四隅を避けて測定することが好ましい。しかし、パターンサイズが小さくなると、測定エリア内に四隅が入り、測定誤差が大きくなるという問題がある。
【００１３】
本発明は、こうした問題に鑑みてなされたものである。すなわち、本発明の目的は、偏向領域のサイズにかかわらず、電子ビームの照射位置について正確な評価が可能な電子ビーム描画装置と電子ビーム描画装置の評価方法を提供することにある。
【００１４】
本発明の他の目的および利点は、以下の記載から明らかとなるであろう。
【課題を解決するための手段】
【００１５】
本発明の第１の態様は、荷電粒子ビームの光路上に配置された偏向器により荷電粒子ビームの位置を制御して、試料に所定のパターンを描画する荷電粒子ビーム描画装置において、
一方向に隣接する少なくとも２つの矩形パターンが、この一方向と直交する方向に偏向器の最大偏向幅と実質的に等しい長さまで連続して配置された複数のラインパターンに対し、荷電粒子ビームによって、
第１のラインパターンを構成する第１の矩形パターンをショットした後に、第１のラインパターンを構成し且つ第１の矩形パターンに隣接する第２の矩形パターンをショットする工程と、
第１の矩形パターンをショットした後に、第２のラインパターンを構成する第３の矩形パターンをショットする工程とを繰り返すよう構成されたことを特徴とするものである。
【００１６】
本発明の第１の態様において、ラインパターンは３以上あって、第１のラインパターンと第２のラインパターンとは隣接しているものとすることができる。
あるいは、第１のラインパターンから第２のラインパターンまでの寸法を偏向器の最大偏向幅と実質的に等しい寸法とすることができる。
【００１７】
本発明の第２の態様は、荷電粒子ビームの光路上に配置された偏向器により荷電粒子ビームの位置を制御して、試料に所定のパターンを描画する荷電粒子ビーム描画装置において、
一方向に隣接する矩形パターンが、この一方向と直交する方向に偏向器の最大偏向幅と実質的に等しい長さまで連続して配置された複数のラインパターンに対し、荷電粒子ビームによって、
第１のラインパターンを構成する第１の矩形パターンをショットした後に、第２のラインパターンを構成する第２の矩形パターンをショットする工程と、
第２の矩形パターンをショットした後に、第１のラインパターンを構成し且つ第１の矩形パターンに隣接する第３の矩形パターンをショットする工程とを繰り返すよう構成されたことを特徴とするものである。
【００１８】
本発明の第２の態様において、ラインパターンは３以上あって、第１のラインパターンと第２のラインパターンとは隣接しているものとすることができる。
あるいは、第１のラインパターンから第２のラインパターンまでの寸法を偏向器の最大偏向幅と実質的に等しい寸法とすることができる。
【００１９】
本発明の第３の態様は、荷電粒子ビームの光路上に配置された偏向器により荷電粒子ビームの位置を制御して、試料に所定のパターンを描画する荷電粒子ビーム描画装置において、
一方向に隣接する少なくとも２つの矩形パターンが、この一方向と直交する方向に偏向器の最大偏向幅と実質的に等しい長さまで連続して配置された３以上のラインパターンに対し、荷電粒子ビームによって、
第１のラインパターンを構成する第１の矩形パターンをショットした後に、第１のラインパターンに隣接しない第２のラインパターンを構成する第２の矩形パターンをショットする工程を繰り返す工程と、
第１のラインパターンを構成する第３の矩形パターンをショットした後に、第１のラインパターンに隣接する第３のラインパターンを構成する第４の矩形パターンをショットする工程を繰り返す工程とを行うよう構成されたことを特徴とするものである。
【００２０】
本発明の第３の態様において、第１のラインパターンを構成する第１の矩形パターンをショットした後に、第１のラインパターンに隣接しない第２のラインパターンを構成する第２の矩形パターンをショットする工程を繰り返す工程を行ってから、第１のラインパターンを構成する第３の矩形パターンをショットした後に、第１のラインパターンに隣接する第３のラインパターンを構成する第４の矩形パターンをショットする工程を繰り返す工程を行うことができる。
あるいは、第１のラインパターンを構成する第３の矩形パターンをショットした後に、第１のラインパターンに隣接する第３のラインパターンを構成する第４の矩形パターンをショットする工程を繰り返す工程を行ってから、第１のラインパターンを構成する第１の矩形パターンをショットした後に、第１のラインパターンに隣接しない第２のラインパターンを構成する第２の矩形パターンをショットする工程を繰り返す工程を行うこともできる。
【００２１】
本発明の第４の態様は、荷電粒子ビームの光路上に配置された偏向器により荷電粒子ビームの位置を制御して、試料に所定のパターンを描画する荷電粒子ビーム描画装置の評価方法において、
一方向に隣接する少なくとも２つの矩形パターンが、この一方向と直交する方向に偏向器の最大偏向幅と実質的に等しい長さまで連続して配置された複数のラインパターンに対し、荷電粒子ビームによって、
第１のラインパターンを構成する第１の矩形パターンをショットした後に、第１のラインパターンを構成し且つ第１の矩形パターンに隣接する第２の矩形パターンをショットする工程と、
第１の矩形パターンをショットした後に、第２のラインパターンを構成する第３の矩形パターンをショットする工程とを有することを特徴とするものである。
【００２２】
本発明の第４の態様において、ラインパターンは３以上あって、第１のラインパターンと第２のラインパターンとは隣接しているものとすることができる。
あるいは、第１のラインパターンから第２のラインパターンまでの寸法を偏向器の最大偏向幅と実質的に等しい寸法とすることができる。
【００２３】
本発明の第５の態様は、荷電粒子ビームの光路上に配置された偏向器により荷電粒子ビームの位置を制御して、試料に所定のパターンを描画する荷電粒子ビーム描画装置の評価方法において、
一方向に隣接する矩形パターンが、この一方向と直交する方向に偏向器の最大偏向幅と実質的に等しい長さまで連続して配置された複数のラインパターンに対し、荷電粒子ビームによって、
第１のラインパターンを構成する第１の矩形パターンをショットした後に、第２のラインパターンを構成する第２の矩形パターンをショットする工程と、
第２の矩形パターンをショットした後に、第１のラインパターンを構成し且つ第１の矩形パターンに隣接する第３の矩形パターンをショットする工程とを有することを特徴とするものである。
【００２４】
本発明の第５の態様において、ラインパターンは３以上あって、第１のラインパターンと第２のラインパターンとは隣接しているものとすることができる。
あるいは、第１のラインパターンから第２のラインパターンまでの寸法を偏向器の最大偏向幅と実質的に等しい寸法とすることができる。
【００２５】
本発明の第６の態様は、荷電粒子ビームの光路上に配置された偏向器により荷電粒子ビームの位置を制御して、試料に所定のパターンを描画する荷電粒子ビーム描画装置の評価方法において、
一方向に隣接する少なくとも２つの矩形パターンが、この一方向と直交する方向に偏向器の最大偏向幅と実質的に等しい長さまで連続して配置された３以上のラインパターンに対し、荷電粒子ビームによって、
第１のラインパターンを構成する第１の矩形パターンをショットした後に、第１のラインパターンに隣接しない第２のラインパターンを構成する第２の矩形パターンをショットする工程を繰り返す工程と、
第１のラインパターンを構成する第３の矩形パターンをショットした後に、第１のラインパターンに隣接する第３のラインパターンを構成する第４の矩形パターンをショットする工程を繰り返す工程とを有することを特徴とするものである。
第１のラインパターンを構成する第１の矩形パターンをショットした後に、第１のラインパターンに隣接しない第２のラインパターンを構成する第２の矩形パターンをショットする工程を繰り返す工程を行ってから、第１のラインパターンを構成する第３の矩形パターンをショットした後に、第１のラインパターンに隣接する第３のラインパターンを構成する第４の矩形パターンをショットする工程を繰り返す工程を行うことができる。
あるいは、第１のラインパターンを構成する第３の矩形パターンをショットした後に、第１のラインパターンに隣接する第３のラインパターンを構成する第４の矩形パターンをショットする工程を繰り返す工程を行ってから、第１のラインパターンを構成する第１の矩形パターンをショットした後に、第１のラインパターンに隣接しない第２のラインパターンを構成する第２の矩形パターンをショットする工程を繰り返す工程を行うことができる。
【００２６】
本発明の第６の態様において、第１のラインパターンを構成する第１の矩形パターンをショットした後に、第１のラインパターンに隣接しない第２のラインパターンを構成する第２の矩形パターンをショットする工程を繰り返す工程を行ってから、第１のラインパターンを構成する第３の矩形パターンをショットした後に、第１のラインパターンに隣接する第３のラインパターンを構成する第４の矩形パターンをショットする工程を繰り返す工程を行うことができる。
あるいは、第１のラインパターンを構成する第３の矩形パターンをショットした後に、第１のラインパターンに隣接する第３のラインパターンを構成する第４の矩形パターンをショットする工程を繰り返す工程を行ってから、第１のラインパターンを構成する第１の矩形パターンをショットした後に、第１のラインパターンに隣接しない第２のラインパターンを構成する第２の矩形パターンをショットする工程を繰り返す工程を行うこともできる。
【発明の効果】
【００２７】
本発明によれば、偏向領域のサイズにかかわらず、電子ビームの照射位置について正確な評価が可能な電子ビーム描画装置と電子ビーム描画装置の評価方法が提供される。
【図面の簡単な説明】
【００２８】
【図１】実施の形態１における評価パターンの一例である。
【図２】実施の形態２における評価パターンの一例である。
【図３】実施の形態３における評価パターンの一例である。
【図４】実施の形態４の電子ビーム描画装置の構成を示す図である。
【図５】実施の形態４における電子ビーム描画方法の説明図である。
【発明を実施するための形態】
【００２９】
実施の形態１．
本実施の形態では、電子ビーム描画装置の評価方法について説明する。
【００３０】
図１は、本実施の形態における評価パターンを示したものである。評価パターンは、副偏向領域Ｆ内に設けられる。副偏向領域Ｆは、例えば、一辺が５０μｍ〜１００μｍの矩形であり、副偏向器の偏向幅に応じてサイズが決められる。
【００３１】
図１に示すように、評価パターンは、複数のラインパターン（Ｌ１、Ｌ２、Ｌ３、Ｌ４、Ｌ５）からなっている。各ラインパターンは、Ｘ方向に隣接する２つのコンタクトホールパターンが、Ｙ方向に副偏向器の偏向幅いっぱいまで複数連続して配置された構成となっている。尚、本実施の形態においては、Ｙ方向に隣接する２つのコンタクトホールパターンが、Ｘ方向に副偏向器の偏向幅いっぱいまで複数連続して配置された構成であってもよい。
【００３２】
図１中に示す１、２、３・・・などの数値は、副偏向セトリング時間を決定する際の副偏向による電子ビームのショット順序を表している。この例では、まず、ラインパターンＬ２を構成するパターン１０１をショットする。１ショットのサイズは、副偏向領域のサイズに応じて小さくすることが好ましく、例えば、一辺が５０ｎｍの矩形とすることができる（以下に同じ）。次いで、パターン１０１に隣接するパターン１０２をショットする。次に、ラインパターンＬ２に隣接するラインパターンＬ３にショット位置を移動させる。具体的には、パターン１０３をショットし、次いで、パターン１０３に隣接するパターン１０４をショットする。次に、再び、ラインパターンＬ２にショット位置を移動させる。そして、パターン１０５をショットし、次いで、パターン１０５に隣接するパターン１０６をショットする。その後、またラインパターンＬ３に移動して、パターン１０７をショットする。次いで、パターン１０７に隣接するパターン１０８をショットする。以上の工程を繰り返し、図１におけるパターン１８０までショットする。尚、図１では、９番目のショットから７９番目のショットまでのショット順序とパターンに関する表記を省略している。
【００３３】
電子ビームの照射は、所定のセトリング時間において所望の偏向位置に整定した後に行われる。しかし、セトリング時間が不十分であると、目標とする偏向位置からずれた位置に電子ビームが照射される。この場合、次の電子ビームの照射については、それ以前の照射位置を基準として偏向が行われるため、照射位置のずれ量は次第に大きくなる。すると、セトリング時間と照射位置のずれ量を正確に知ることができず、セトリング時間の最適化が困難となる。
【００３４】
図１の例では、ラインパターンＬ２とラインパターンＬ３とをショットする工程において、電子ビームの移動距離が小さいショットと、大きいショットとが交互に入れ替わっている。すなわち、パターン１０１からパターン１０２への移動距離は小さいが、パターン１０２からパターン１０３への移動距離は大きい。また、パターン１０３からパターン１０４への移動距離は小さいが、パターン１０４からパターン１０５への移動距離は大きい。
【００３５】
移動距離と偏向量は相関する。移動距離の小さいショットでは、偏向量が小さく、照射位置のずれは殆どない。したがって、その後の移動距離の大きいショットに与える影響は殆どない。一方、移動距離の大きいショットは、偏向量が大きく、照射位置のずれ量も大きくなる。しかし、次のショットの移動距離が小さければ、照射位置のずれはリセットされてしまい、次の移動距離の大きいショットへ及ぼす影響は殆どなくなる。
【００３６】
図１の例では、パターン１０１からパターン１０２への移動距離は小さいので、パターン１０２における照射位置のずれは殆どない。したがって、次のショット、すなわち、パターン１０３における照射位置のずれ量を正確に測定することができる。
【００３７】
一方、パターン１０２からパターン１０３への移動距離は、先の移動距離、すなわち、パターン１０１からパターン１０２への移動距離より大きくなる。したがって、パターン１０３における照射位置のずれ量も大きくなる。しかし、次の移動距離、すなわち、パターン１０３からパターン１０４への移動距離は小さいので、パターン１０３で生じた照射位置のずれ量は次のショットでリセットされる。よって、さらに次のショット、すなわち、パターン１０５における照射位置のずれ量を正確に測定することができる。
【００３８】
パターン１０４からパターン１０５への移動距離は、パターン１０３からパターン１０４への移動距離より大きいので、パターン１０５における照射位置のずれ量は、パターン１０４における照射位置のずれ量より大きくなる。しかし、次のショット、すなわち、パターン１０５に隣接するパターン１０６へのショットは、移動距離が小さくて済むので、パターン１０５で生じた位置ずれ量はリセットされる。したがって、次のショット、すなわち、パターン１０７における照射位置のずれ量を正確に求めることができる。
【００３９】
このように、移動距離の大きいショットと、移動距離の小さいショットとが繰り返されることにより、移動距離の大きいショットで生じた位置ずれ量がその都度リセットされる。したがって、電子ビームの照射位置のずれ量を正確に求めることが可能となる。
【００４０】
ところで、電子ビームの移動距離は単一ではない。そこで、次に、上述した移動距離の大きいショットよりさらに移動距離の大きいショットについて考える。便宜上、前者を「短距離移動」と称し、後者を「長距離移動」と称す。本実施の形態において、「短距離」とは、隣接するラインパターン間の寸法を言い、「長距離」とは、副偏向領域内の最大寸法を言う。また、これらの間の寸法を「中距離」と称す。
【００４１】
図１において、ラインパターンＬ１とラインパターンＬ５との間におけるショットを考える。
【００４２】
まず、ラインパターンＬ１を構成するパターン２０１をショットする。次いで、パターン２０１に隣接するパターン２０２をショットする。次に、ラインパターンＬ５にショット位置を移動させる。具体的には、パターン２０３をショットし、次いで、パターン２０３に隣接するパターン２０４をショットする。次に、再び、ラインパターンＬ１にショット位置を移動させる。そして、パターン２０５をショットし、次いで、パターン２０５に隣接するパターン２０６をショットする。その後、またラインパターンＬ５に移動して、パターン２０７をショットする。次いで、パターン２０７に隣接するパターン２０８をショットする。以上の工程を繰り返し、図１におけるパターン２８０までショットする。尚、図１では、８９番目以降のショット順序と、８９番目から１５２番目のパターンに関する表記を省略している。
【００４３】
ラインパターンＬ１とラインパターンＬ５とをショットする工程においても、電子ビームの移動距離が小さいショットと、大きいショットとが交互に入れ替わっている。すなわち、パターン２０１からパターン２０２への移動距離は小さいが、パターン２０２からパターン２０３への移動距離は大きい。また、パターン２０３からパターン２０４への移動距離は小さいが、パターン２０４からパターン２０５への移動距離は大きい。
【００４４】
具体的には、パターン２０１からパターン２０２への移動距離は小さいので、パターン２０２における照射位置のずれは殆どない。したがって、次のショット、すなわち、パターン２０３における照射位置のずれ量を正確に測定することができる。
【００４５】
一方、パターン２０２からパターン２０３への移動距離は、先の移動距離、すなわち、パターン２０１からパターン２０２への移動距離より大きくなる。したがって、パターン２０３における照射位置のずれ量も大きくなる。しかし、次の移動距離、すなわち、パターン２０３からパターン２０４への移動距離は小さいので、パターン２０３で生じた照射位置のずれ量はリセットされる。よって、次のショット、すなわち、パターン２０５における照射位置のずれ量を正確に測定することができる。
【００４６】
パターン２０４からパターン２０５への移動距離は、パターン２０３からパターン２０４への移動距離より大きいので、パターン２０５における照射位置のずれ量は、パターン２０４における照射位置のずれ量より大きくなる。しかし、次のショット、すなわち、パターン２０５に隣接するパターン２０６へのショットは、移動距離が小さくて済むので、パターン２０５で生じた位置ずれ量は次のショットでリセットされる。したがって、さらに次のショット、すなわち、パターン２０７における照射位置のずれ量を正確に求めることができる。
【００４７】
このように、ラインパターンＬ１とラインパターンＬ５との間のショットにおいても、移動距離の大きいショットと、移動距離の小さいショットとが繰り返されることにより、移動距離の大きいショットで生じた位置ずれ量がその都度リセットされる。したがって、電子ビームの照射位置のずれ量を正確に求めることが可能となる。
【００４８】
短距離移動時の最適な副偏向セトリング時間は、次のようにして求める。
【００４９】
本実施の形態では、ラインパターンＬ２とラインパターンＬ３とを描画して得られた結果から、短距離移動における電子ビーム照射位置のずれ量を測定し、最適なセトリング時間を求めることができる。
【００５０】
具体的には、副偏向のセトリング時間を任意の値に設定し、副偏向器で電子ビームを偏向しながら、ラインパターンＬ２とＬ３を上記のようにして描画する。次に、描画された各パターンの位置または寸法を計測器により測定する。例えば、図１において、パターン１０２の一端から、パターン１０３の対応する一端までの寸法を、寸法測定器で測定する。あるいは、各パターンの端部（但し、四隅は除く。）または中心の座標を、座標測定器で測定する。そして、得られた寸法または座標の設計値からのずれ量を求めた後、これらの値から平均の位置ずれ量を求める。
【００５１】
上記と同様にして、副偏向のセトリング時間を変えたときの平均の位置ずれ量を求める。次いで、副偏向のセトリング時間に対して、平均の位置ずれ量をプロットし、得られた関係から、短距離移動時における最適のセトリング時間を決定する。例えば、位置ずれ量が最少となるセトリング時間を最適値とすることができる。スループットの観点からは、セトリング時間と平均の位置ずれ量との関係を表す曲線の傾きがゼロになるセトリング時間を最適値とすることが好ましい。
【００５２】
長距離移動時の最適な副偏向セトリング時間も同様にして求めることができる。すなわち、ラインパターンＬ１とＬ５とを描画し、得られた各パターンの位置または寸法を計測器により測定する。例えば、図１において、パターン２０２の一端から、パターン２０３の対応する一端までの寸法を、寸法測定器で測定する。あるいは、パターン２０２の一端（または中心）の座標と、パターン２０３の対応する一端（または中心）の座標を、座標測定器で測定する。そして、各測定値における設計位置からの位置ずれ量を求めた後、これらの値から平均の位置ずれ量を求める。
【００５３】
上記と同様にして、副偏向のセトリング時間を変えたときの平均の位置ずれ量を求める。次いで、副偏向のセトリング時間に対して、平均の位置ずれ量をプロットし、得られた関係から、長距離移動時における最適のセトリング時間を決定する。例えば、位置ずれ量が最少となるセトリング時間を最適値とすることができる。スループットの観点からは、セトリング時間と平均の位置ずれ量との関係を表す曲線の傾きがゼロになるセトリング時間を最適値とすることが好ましい。
【００５４】
また、副偏向セトリング時間を一定として、副偏向による電子ビームの移動距離と位置ずれ量との関係をプロットする。すなわち、上記のようにして、短距離移動時の位置ずれ量と、長距離移動時の位置ずれ量とが測定により分かっているので、これらの値を補間することで、中距離移動時の位置ずれ量も求めることができる。尚、例えば、図１の評価パターンで、Ｌ２とＬ４を描画して中距離移動時の位置ずれ量を求め、これを上記プロットに加えてもよい。
【００５５】
本実施の形態の構成によれば、評価パターンは複数のラインパターンからなり、これらのラインパターンは、Ｙ方向（またはＸ方向）に平行に配置され、各ラインパターンを構成するコンタクトホールパターンのサイズは、副偏向領域のサイズに応じて任意に変えることができる。したがって、直交する２つの直線上にコンタクトホールが配置される特許文献３の評価用パターンに比べると、副偏向領域に収まるコンタクトホールの数、すなわち、評価点数の数を多くすることができる。つまり、従来より小さい副偏向領域であっても、評価点数の減少を抑制できるので、電子ビームの照射位置について正確な評価を行うことが可能である。
【００５６】
また、本実施の形態では、Ｘ方向（またはＹ方向）に隣接する２つのコンタクトホールパターンが、Ｙ方向に複数連続して配置されてラインパターンを構成している。この構成によれば、移動距離の大きいショットと、移動距離の小さいショットとが繰り返されるので、移動距離の大きいショットで生じた位置ずれ量をその都度リセットすることができる。したがって、電子ビームの照射位置のずれ量を正確に求めることができる。
【００５７】
実施の形態２．
本実施の形態では、電子ビーム描画装置の別の評価方法について説明する。
【００５８】
図２は、本実施の形態における評価パターンを示したものである。評価パターンは、副偏向領域Ｆ内に設けられる。副偏向領域Ｆは、例えば、一辺が５０μｍ〜１００μｍの矩形であり、副偏向器の偏向幅に応じてサイズが決められる。
【００５９】
図２に示すように、評価パターンは、複数のラインパターン（Ｌ１１、Ｌ１２、Ｌ１３、Ｌ１４、Ｌ１５、Ｌ１６）からなっている。各ラインパターンは、単一のコンタクトホールパターンが、Ｙ方向に副偏向器の偏向幅いっぱいまで複数連続して配置された構成となっている。尚、本実施の形態においては、単一のコンタクトホールパターンが、Ｘ方向に副偏向器の偏向幅いっぱいまで複数連続して配置された構成であってもよい。
【００６０】
図２中に示す１、２、３・・・などの数値は、副偏向セトリング時間を決定する際の副偏向による電子ビームのショット順序を表している。この例では、まず、ラインパターンＬ１３を構成するパターン３０１をショットする。１ショットのサイズは、副偏向領域のサイズに応じて小さくすることが好ましく、例えば、一辺が５０ｎｍの矩形とすることができる（以下に同じ）。次いで、ラインパターンＬ１３に隣接するラインパターンＬ１４にショット位置を移動させる。具体的には、パターン３０２をショットし、次いで、再び、ラインパターンＬ１３にショット位置を移動させる。そして、パターン３０３をショットした後、またラインパターンＬ１４に移動して、パターン３０４をショットする。以上の工程を繰り返し、図２におけるパターン３４０までショットする。尚、図２では、１１番目のショットから３８番目のショットまでのショット順序と、３番目以降のパターンに関する表記を省略している。
【００６１】
図２の評価パターンは、図１の評価パターンで求めたセトリング時間が適当であるか否かの確認に適している。つまり、図２の評価パターンは、各ショット間の距離が略等しく、実際に描画されるパターンに近いものとなっている。この評価パターンでは、図１で述べた評価パターンと異なり、移動距離の大きいショットで生じた照射位置のずれ量を、次の移動距離の小さいショットによってリセットすることができない。すなわち、セトリング時間が不十分であり、目標とする偏向位置からずれた位置に電子ビームが照射されると、この位置ずれ量は、次のショットによってリセットされず、次第に大きくなる。したがって、図１で見積もったセトリング時間を用いて、図２の評価パターンで描画することにより、このセトリング時間が適当であるか否かを容易に判断することができる。
【００６２】
上記したラインパターンＬ１３とＬ１４の間のショットの移動を、本実施の形態では、「短距離移動」と称す。次に、「長距離移動」のショットについて述べる。尚、本実施の形態において、「短距離」とは、隣接するラインパターン間の寸法を言い、「長距離」とは、副偏向領域内の最大寸法を言う。また、これらの間の寸法を「中距離」と称す。
【００６３】
図１の評価パターンで求めた短距離移動時のセトリング時間の評価は、ラインパターンＬ１３とＬ１４を描画することで行える。一方、図１の評価パターンで求めた長距離移動時のセトリング時間の評価は、ラインパターンＬ１１とＬ１６を描画することで行える。
【００６４】
図２において、ラインパターンＬ１１とラインパターンＬ１６との間のショットを考える。
【００６５】
まず、ラインパターンＬ１１を構成するパターン４０１をショットする。次いで、ラインパターンＬ１６にショット位置を移動させる。具体的には、パターン４０２をショットし、次に、再び、ラインパターンＬ１１にショット位置を移動させる。そして、パターン４０３をショットした後、またラインパターンＬ１６に移動して、パターン４０４をショットする。以上の工程を繰り返し、図２におけるパターン４８０までショットする。尚、図２では、４６番目のショットから７９番目のショットまでのショット順序と、４０３番目から４７９番目までのパターンに関する表記を省略している。
【００６６】
上記したラインパターンＬ１１とＬ１６の描画を、図１で求めた長距離移動時のセトリング時間を用いて行う。セトリング時間が不十分であり、目標とする偏向位置からずれた位置に電子ビームが照射されると、この位置ずれ量は、次のショットによってリセットされず、次第に大きくなる。したがって、図１で見積もったセトリング時間が適当であるか否かを容易に判断することができる。
【００６７】
図２の評価パターンを用いた際の電子ビームの照射位置のずれ量は、次のようにして求める。
【００６８】
例えば、ラインパターンＬ１２とＬ１３を上記のようにして描画する。次に、描画された各パターンの中心の座標を、座標測定器で測定する。そして、得られた座標の設計位置からの位置ずれ量を求めた後、これらの値から平均の位置ずれ量を求める。
【００６９】
また、副偏向セトリング時間を一定として、副偏向による電子ビームの移動距離と位置ずれ量との関係をプロットする。すなわち、図２の評価用パターンによれば、短距離移動時の位置ずれ量と、長距離移動時の位置ずれ量とが測定により分かるので、これらの値を補間することで、中距離移動時の位置ずれ量も求めることができる。尚、例えば、図２の評価パターンで、Ｌ１２とＬ１５を描画して中距離移動時の位置ずれ量を求め、これを上記プロットに加えてもよい。
【００７０】
図２の評価パターンを描画した結果、セトリング時間が適当でないと判断されたときは、図１の評価用パターンを描画して、再現性を確認するか、または、再度セトリング時間の最適化を図る。
【００７１】
本実施の形態の構成によれば、評価パターンは複数のラインパターンからなり、これらのラインパターンは、Ｙ方向（またはＸ方向）に平行に配置され、各ラインパターンを構成するコンタクトホールパターンのサイズは、副偏向領域のサイズに応じて任意に変えることができる。したがって、直交する２つの直線上にコンタクトホールが配置される特許文献３の評価用パターンに比べると、副偏向領域に収まるコンタクトホールの数、すなわち、評価点数の数を多くすることができる。つまり、従来より小さい副偏向領域であっても、評価点数の減少を抑制できるので、電子ビームの照射位置について正確な評価を行うことが可能である。
【００７２】
また、本実施の形態では、Ｘ方向（またはＹ方向）に隣接するコンタクトホールはなく、１つのコンタクトホールが一方向に並んでラインパターンを構成している。この評価パターンでは、移動距離の大きいショットで生じた照射位置のずれ量を、次の移動距離の小さいショットによってリセットすることができない。すなわち、セトリング時間が不十分であり、目標とする偏向位置からずれた位置に電子ビームが照射されると、この位置ずれ量は、次のショットによってリセットされず、次第に大きくなる。したがって、この評価パターンによれば、セトリング時間が適当であるか否かを容易に判断することができる。
【００７３】
実施の形態３．
本実施の形態では、電子ビーム描画装置の他の評価方法について説明する。
【００７４】
図３は、本実施の形態における評価パターンを示したものであり、実施の形態２で述べた評価パターンと同様とすることができる。
【００７５】
評価パターンは、副偏向領域Ｆ内に設けられる。副偏向領域Ｆは、例えば、一辺が５０μｍ〜１００μｍの矩形であり、副偏向器の偏向幅に応じてサイズが決められる。
【００７６】
図３に示すように、評価パターンは、複数のラインパターン（Ｌ２１、Ｌ２２、Ｌ２３、Ｌ２４、Ｌ２５、Ｌ２６）からなっている。各ラインパターンは、単一のコンタクトホールパターンが、Ｙ方向に副偏向器の偏向幅いっぱいまで複数連続して配置された構成となっている。尚、本実施の形態においては、単一のコンタクトホールパターンが、Ｘ方向に副偏向器の偏向幅いっぱいまで複数連続して配置された構成であってもよい。
【００７７】
図３中に示す１、２、３・・・などの数値は、副偏向セトリング時間を決定する際の副偏向による電子ビームのショット順序を表している。この例では、まず、ラインパターンＬ２１を構成するパターン５０１をショットする。１ショットのサイズは、副偏向領域のサイズに応じて小さくすることが好ましく、例えば、一辺が５０ｎｍの矩形とすることができる（以下に同じ）。次いで、ラインパターンＬ２６にショット位置を移動させる。そして、パターン５０２をショットした後、またラインパターンＬ２１に移動して、パターン５０３をショットする。以上の工程を繰り返し、図３におけるパターン５２０までショットする。
【００７８】
次に、ラインパターンＬ２１を構成するパターン５２１をショットする。次いで、ラインパターンＬ２１に隣接するラインパターンＬ２２にショット位置を移動させる。具体的には、パターン５２２をショットし、次いで、再び、ラインパターンＬ２１にショット位置を移動させる。そして、パターン５２３をショットした後、またラインパターンＬ２２に移動して、パターン５２４をショットする。以上の工程を繰り返し、図３におけるパターン５４０までショットする。
【００７９】
尚、図３では、５０４番目から５１９番目までと、５２５番目から５３９番目までのパターンに関する表記を省略している（以下に同じ）。
【００８０】
上記したラインパターンＬ２１とＬ２６の間のショットの移動を、本実施の形態では、「長距離移動」と称す。また、ラインパターンＬ２１とＬ２２の間のショットの移動を、「短距離移動」と称す。ここで、「短距離」とは、隣接するラインパターン間の寸法を言い、「長距離」とは、副偏向領域内の最大寸法を言う。また、これらの間の寸法を「中距離」と称す。
【００８１】
図３の例では、最初に長距離移動のショットを続けた後、途中から短距離移動のショットに変更している。セトリング時間が不十分である場合、長距離移動のショットを続けると、この位置ずれ量は、次のショットによってリセットされないため次第に大きくなる。長距離移動のショットを続けている間は、この位置ずれ量は見え難いが、図３の例のように短距離移動のショットに変えると、顕著に位置ずれ量が認められるようになる。そして、短距離移動のショットを続けて行くうちに、やがてこの位置ずれ量はリセットされる。
【００８２】
上記のように、長距離移動のショットを続けた後、短距離移動のショットに変えると、ショットの移動距離が切り替わったところで、位置ずれ量が明確に分かるようになる。したがって、本実施の形態によれば、目視で位置ずれを把握することができるので、寸法測定器や座標測定機を用いた測定を行うことなく、位置ずれによる不良の発生を把握することができる。
【００８３】
本実施の形態においては、最初に短距離移動のショットを続けた後、途中から長距離移動のショットに変更することもできる。
【００８４】
例えば、ラインパターンＬ２１を構成するパターン５２３をショットする。次いで、ラインパターンＬ２１に隣接するラインパターンＬ２２にショット位置を移動させる。具体的には、パターン５２４をショットし、次いで、再び、ラインパターンＬ２１にショット位置を移動させる。そして、パターン５２１をショットした後、またラインパターンＬ２２に移動して、パターン５２２をショットする。以上の工程を繰り返し、図３におけるパターン５１２までショットする。
【００８５】
次に、ラインパターンＬ２１を構成するパターン５０９をショットする。次いで、ラインパターンＬ２６にショット位置を移動させる。そして、パターン５１０をショットした後、またラインパターンＬ２１に移動して、パターン５０７をショットする。以上の工程を繰り返し、図３におけるパターン５０２までショットする。
【００８６】
最初に短距離移動のショットを続けた後、途中から長距離移動のショットに変更する場合、位置ずれ量は次のようになる。すなわち、短距離移動のショットでは、位置ずれが殆どないので、明確な位置ずれ量を認めることはできない。しかしながら、長距離移動のショットでは、短距離移動のショットより位置ずれが大きくなる。そして、長距離移動のショットを続けていくと、この位置ずれがリセットされずに蓄積された状態となるため、位置ずれ量は次第に大きくなる。
【００８７】
したがって、短距離移動のショットを続けた後、長距離移動のショットに切り替えても、位置ずれがあればこれを容易に視認することができる。つまり、この方法によっても、寸法測定器や座標測定機を用いた測定を行うことなく、位置ずれによる不良の発生を把握することが可能である。
【００８８】
実施の形態４．
本実施の形態では、本発明による電子ビーム描画装置の一形態について述べる。
【００８９】
図４は、本実施の形態の電子ビーム描画装置について、主として描画制御部の構成を示す図である。
【００９０】
図４において、電子ビーム描画装置３０の試料室３１内には、試料であるマスク基板３２が設置されたステージ３３が設けられている。ステージ３３は、ステージ駆動回路３４によりＸ方向（紙面における左右方向）とＹ方向（紙面における垂直方向）に駆動される。ステージ３３の移動位置は、レーザ測長計等を用いた位置回路３５により測定される。
【００９１】
試料室３１の上方には、電子ビーム光学系４０が設置されている。この電子ビーム光学系４０は、電子銃１００、各種レンズ３７、３８、３９、４１、４２、ブランキング用偏向器４３、成形偏向器４４、ビーム走査用の主偏向器４５、ビーム走査用の副偏向器４６、および、２個のビーム成形用アパーチャ４７、４８等から構成されている。
【００９２】
図５は、本実施の形態における電子ビーム描画方法の説明図である。この描画方法は、本実施の形態の電子ビーム描画装置３０を使用することにより実現される。
【００９３】
図５に示すように、マスク基板３２上に描画されるパターン８１は、短冊状のフレーム領域８２に分割されている。電子ビーム描画装置３０の電子銃１００によって放出される電子ビーム２０による描画は、ステージ３３が一方向（例えば、Ｘ方向）に連続移動しながら、フレーム領域８２毎に行われる。フレーム領域８２は、さらに副偏向領域８３に分割されており、電子ビーム２０は、副偏向領域８３内の必要な部分のみを描画する。尚、フレーム領域８２は、主偏向器４５の偏向幅で決まる短冊状の描画領域であり、副偏向領域８３は、副偏向器４６の偏向幅で決まる単位描画領域である。
【００９４】
図４および図５を参照して、副偏向領域８３内での電子ビーム２０の位置決めは、副偏向器４６で行われる。副偏向領域８３の位置制御は、主偏向器４５によってなされる。すなわち、主偏向器４５によって、副偏向領域８３の位置決めがされ、副偏向器４６によって、副偏向領域８３内でのビーム位置が決められる。さらに、成形偏向器４４とビーム成形用アパーチャ４７、４８によって、電子ビーム２０の形状と寸法が決められる。そして、ステージ３３を一方向に連続移動させながら、副偏向領域８３内を描画し、１つの副偏向領域８３の描画が終了したら、次の副偏向領域８３を描画する。フレーム領域８２内の全ての副偏向領域８３の描画が終了したら、ステージ３３を連続移動させる方向と直交する方向（例えば、Ｙ方向）にステップ移動させる。その後、同様の処理を繰り返して、フレーム領域８２を順次描画して行く。
【００９５】
電子ビームによる描画を行う際には、まず、ＣＡＤシステムを用いて設計された半導体集積回路などのパターンデータ（ＣＡＤデータ）が、図４の電子ビーム描画装置３０に入力することのできる形式のデータ（レイアウトデータ）に変換される。次いで、レイアウトデータが変換されて描画データが作成された後、描画データは実際に電子ビーム２０がショットされるサイズに分割された後、ショットサイズ毎に描画が行われる。
【００９６】
レイアウトデータから変換された描画データは、記憶媒体である入力部５１に記録された後、制御計算機５０によって読み出され、図５のフレーム領域８２毎に、パターンメモリ５２に一時的に格納される。パターンメモリ５２に格納されたフレーム領域８２毎のパターンデータ、すなわち、描画位置や描画図形データ等で構成されるフレーム情報は、データ解析部であるパターンデータデコーダ５３と描画データデコーダ５４に送られる。次いで、これらを介して、副偏向領域偏向量算出部６０、ブランキング回路５５、ビーム成形器ドライバ５６、主偏向器ドライバ５７、副偏向器ドライバ５８に送られる。
【００９７】
パターンデータデコーダ５３からの情報は、ブランキング回路５５とビーム成形器ドライバ５６に送られる。具体的には、パターンデータデコーダ５３で描画データに基づいてブランキングデータが作成され、ブランキング回路５５に送られる。また、描画データに基づいて所望とするビーム寸法データも作成されて、副偏向領域偏向量算出部６０とビーム成形器ドライバ５６に送られる。そして、ビーム成形器ドライバ５６から、電子ビーム光学系４０の成形偏向器４４に所定の偏向信号が印加されて、電子ビーム２０の形状と寸法が制御される。
【００９８】
副偏向領域偏向量算出部６０は、パターンデータデコーダ５３で作成したビーム形状データから、副偏向領域８３における、１ショット毎の電子ビームの偏向量（移動距離）を算出する。算出された情報は、セトリング時間決定部６１に送られ、副偏向による移動距離に対応したセトリング時間が決定される。
【００９９】
セトリング時間決定部６１で決定されたセトリング時間は、偏向制御部６２へ送られた後、パターンの描画のタイミングを計りながら、偏向制御部６２より、ブランキング回路５５、ビーム成形器ドライバ５６、主偏向器ドライバ５７、副偏向器ドライバ５８のいずれかに適宜送られる。
【０１００】
描画データデコーダ５４では、描画データに基づいて副偏向領域８３の位置決めデータが作成され、このデータは、主偏向器ドライバ５７と副偏向器ドライバ５８に送られる。そして、主偏向器ドライバ５７から、電子ビーム光学系４０の主偏向器４５に所定の偏向信号が印加されて、電子ビーム２０が所定の主偏向位置に偏向走査される。また、副偏向器ドライバ５８から、副偏向器４６に所定の副偏向信号が印加されて、図５の副偏向領域８３内での描画が行われる。この描画は、具体的には、設定されたセトリング時間が経過した後、電子ビーム２０を繰り返し照射することによって行われる。
【０１０１】
本実施の形態においては、電子ビーム描画装置３０を評価する評価部６３が、制御計算機５０に接続していることを特徴とする。評価部６３では、実施の形態１〜３で説明した評価パターンと電子ビームのショット順序とが格納されている。そして、目的に応じて選択された評価パターンとショット順序に関する情報が、評価部６３から偏向制御部６２に送られる。
【０１０２】
例えば、電子ビーム照射位置のずれ量を測定し、その結果から、短距離移動時の副偏向セトリング時間を求める場合には、実施の形態１で述べた評価パターンを用い、ラインパターンＬ２、Ｌ３の間における移動距離の小さいショットと移動距離の大きいショットとが繰り返されるショット順序を選択することができる。選択された情報は偏向制御部６２へ送られ、この情報にしたがって、偏向制御部６２により、ビーム成形器ドライバ５６と、主偏向器ドライバ５７と、副偏向器ドライバ５８とが制御される。また、セトリング時間決定部６１で決定されたセトリング時間にしたがって、偏向制御部６２によりブランキング回路５５が制御される。
【０１０３】
以上の条件下で描画されたパターンにおける電子ビーム照射位置のずれ量を測定することにより、現在のセトリング時間が適正であるか否かを評価することができる。例えば、あるパターンの一端から、次にショットされたパターンの対応する一端までの寸法を、寸法測定器で測定する。あるいは、これらのパターンの各端部（但し、四隅は除く。）または各中心の座標を、座標測定器で測定する。そして、得られた寸法または座標の設計値からのずれ量を求めた後、これらの値から平均の位置ずれ量を求める。この値が閾値より大きいか否かによって、現在のセトリング時間の適否が評価される。
【０１０４】
適正な副偏向セトリング時間は、次のようにして求められる。
【０１０５】
セトリング時間決定部６１で決定されるセトリング時間を変え、上記と同様にしてパターンを描画する。すなわち、偏向制御部６２から、ブランキング回路５５、ビーム成形器ドライバ５６、主偏向器ドライバ５７および副偏向器ドライバ５８へ、セトリング時間、パターン形状およびショット順序などの情報が送られて描画が行われる。
【０１０６】
副偏向のセトリング時間と平均の位置ずれ量との関係を求め、この関係から最適のセトリング時間を決定する。例えば、位置ずれ量が最少となるセトリング時間を最適値とすることができる。スループットの観点からは、セトリング時間と平均の位置ずれ量との関係を表す曲線の傾きがゼロになるセトリング時間を最適値とすることが好ましい。
【０１０７】
本実施の形態の電子ビーム描画装置は、電子ビーム照射位置のずれ量を評価するための評価部を有しているので、セトリング時間の適否を評価することができるとともに、その結果から適正なセトリング時間を求めることができる。また、評価部に格納されている評価パターンは、複数のラインパターンからなり、これらのラインパターンは、Ｙ方向（またはＸ方向）に平行に配置され、各ラインパターンを構成するコンタクトホールパターンのサイズは、副偏向領域のサイズに応じて任意に変えることができる。したがって、直交する２つの直線上にコンタクトホールが配置される従来の評価用パターンに比べると、副偏向領域に収まるコンタクトホールの数、すなわち、評価点数の数を多くすることができる。つまり、従来より小さい副偏向領域であっても、評価点数の減少を抑制できるので、電子ビームの照射位置について正確な評価を行うことが可能である。
【０１０８】
尚、本発明は、上記実施の形態に限定されるものではなく、本発明の趣旨を逸脱しない範囲内において、種々変形して実施することができる。
【０１０９】
例えば、上記各実施の形態では、副偏向のセトリング時間について述べたが、主偏向のセトリング時間についても同様に考えることができる。
【０１１０】
また、上記実施の形態では電子ビームを用いたが、本発明は、イオンビームなどの他の荷電粒子ビームを用いた荷電粒子銃のコンディショニング方法やこの荷電粒子銃を備えた荷電粒子ビーム描画装置にも適用可能である。
【符号の説明】
【０１１１】
１００    電子銃
２０    電子ビーム
３０    電子ビーム描画装置
３１    試料室
３２    マスク基板
３３    ステージ
３４    ステージ駆動回路
３５    位置回路
３７、３８、３９、４１、４２    各種レンズ
４０    電子ビーム光学系
４３    ブランキング用偏向器
４４    成形偏向器
４５    主偏向器
４６    副偏向器
４７、４８    ビーム成形用アパーチャ
５０    制御計算機
５１    入力部
５２    パターンメモリ
５３    パターンデータデコーダ
５４    描画データデコーダ
５５    ブランキング回路
５６    ビーム成形器ドライバ
５７    主偏向器ドライバ
５８    副偏向器ドライバ
６０    副偏向領域偏向量算出部
６１    セトリング時間決定部
６２    偏向制御部
６３    評価部
８１    描画されるパターン
８２    フレーム領域
８３    副偏向領域
【図１】
0005649467.tif 000002
【図２】
0005649467.tif 000003
【図３】
0005649467.tif 000004
【図４】
0005649467.tif 000005
【図５】
0005649467.tif 000006